(57)【特許請求の範囲】
【請求項１】
ユーザ設備のユーザインタフェースを管理する方法であって、
上記ユーザ設備の滞留先又は切替先である第１セルの第１ＣＳＧ  ＩＤを取得することと、
ＣＳＧ  ＩＤとユーザインタフェースとの所定の対応関係に基づいて、第１ＣＳＧ  ＩＤに対応する第１ユーザインタフェースを確定することと、
上記ユーザ設備のユーザインタフェースを上記第１ユーザインタフェースに変更することとを含み、
更に、上記第１セルが所属するホーム基地局の第１ホーム基地局名を取得し、
セルのＣＳＧ  ＩＤとセルが所属するホーム基地局の名称が含まれるセル属性とユーザインタフェースとの所定の対応関係に基づいて、上記第１ＣＳＧ  ＩＤと第１ホーム基地局名に対応する上記第１ユーザインタフェースを確定することを特徴とする方法。
【請求項２】
上記ユーザ設備の滞留先又は切替先である第１セルの第１ＣＳＧ  ＩＤを取得することの前、
上記ユーザ設備がセルの選択又は再選択を実行することにより上記第１セルに滞留し、又は、上記ユーザ設備がセルの切替によって上記第１セルにアクセスすることを含むことを特徴とする請求項１に記載の方法。
【請求項３】
上記ユーザ設備のユーザインタフェースを上記第１ユーザインタフェースに変更することの後、
第１ユーザインタフェースに含まれるネットワークアプリケーションプログラムに基づいて、上記ネットワークアプリケーションプログラムを起動し、上記ネットワークアプリケーションプログラムと、上記第１ＣＳＧ  ＩＤに対応する第１ＣＳＧエリアネットワークにおけるネットワークアプリケーションプログラム接続サーバとの接続を活性化することと、
上記ネットワークアプリケーションプログラム接続サーバは、上記ネットワークアプリケーションプログラムのアクセスパラメータに基づいて、上記ネットワークアプリケーションプログラムが、第１ＣＳＧエリアネットワークにおける特定のネットワークアプリケーションプログラムであるか否かを判断することとを含み、
第１ＣＳＧエリアネットワークにおける特定のネットワークアプリケーションプログラムであると判断された場合、上記ネットワークアプリケーションプログラムを、第１ＣＳＧエリアネットワークにおけるＣＳＧエリアローカルネットワークアプリケーションサーバにアクセスさせ、
第１ＣＳＧエリアネットワークにおける特定のネットワークアプリケーションプログラムではないと判断された場合、上記ネットワークアプリケーションプログラムを、コアネットワークにおけるコアネットワークアプリケーションサーバにアクセスさせることを特徴とする請求項１に記載の方法。
【請求項４】
上記ネットワークアプリケーションプログラムが第１ＣＳＧエリアネットワークにおける特定のネットワークアプリケーションプログラムであると判断した後、更に、上記ネットワークアプリケーションプログラムが第１ＣＳＧ  ＩＤに対応するホーム基地局における特定のネットワークアプリケーションプログラムであるか否かを判断し、
上記ネットワークアプリケーションプログラムが第１ＣＳＧ  ＩＤに対応するホーム基地局における特定のネットワークアプリケーションプログラムであると判断された場合、上記ネットワークアプリケーションプログラムを、第１ＣＳＧ  ＩＤに対応するホーム基地局に関連付けられているホーム基地局エリアローカルネットワークアプリケーションサーバにアクセスさせ、
上記ネットワークアプリケーションプログラムが第１ＣＳＧ  ＩＤに対応するホーム基地局における特定のネットワークアプリケーションプログラムではないと判断された場合、上記ネットワークアプリケーションプログラムを、第１ＣＳＧエリアネットワークにおけるＣＳＧエリアローカルネットワークアプリケーションサーバにアクセスさせることを特徴とする請求項３に記載の方法。
【請求項５】
上記ユーザ設備のユーザインタフェースを上記第１ユーザインタフェースに変更することの後、更に、
第１ユーザインタフェースに含まれるネットワークアプリケーションプログラムに基づいて、上記ネットワークアプリケーションプログラムを起動し、上記ネットワークアプリケーションプログラムのアクセスパラメータに基づいて、上記ネットワークアプリケーションプログラムが、上記第１ＣＳＧ  ＩＤに対応する第１ＣＳＧエリアネットワークにおける特定のネットワークアプリケーションプログラムであるか否かを判断することを含み、
上記第１ＣＳＧ  ＩＤに対応する第１ＣＳＧエリアネットワークにおける特定のネットワークアプリケーションプログラムであると判断された場合、上記ネットワークアプリケーションプログラムと、上記第１ＣＳＧエリアネットワークにおけるネットワークアプリケーションプログラム接続サーバとの接続を活性化し、上記ネットワークアプリケーションプログラムを、上記ネットワークアプリケーションプログラム接続サーバを介して、第１ＣＳＧエリアネットワークにおけるＣＳＧエリアローカルネットワークアプリケーションサーバにアクセスさせ、
上記第１ＣＳＧ  ＩＤに対応する第１ＣＳＧエリアネットワークにおける特定のネットワークアプリケーションプログラムではないと判断された場合、上記ネットワークアプリケーションプログラムを、コアネットワークにおけるコアネットワークアプリケーションサーバにアクセスさせることを特徴とする請求項１に記載の方法。
【請求項６】
上記ネットワークアプリケーションプログラムと、上記第１ＣＳＧエリアネットワークにおけるネットワークアプリケーションプログラム接続サーバとの接続を活性化した後、上記ネットワークアプリケーションプログラム接続サーバは、更に、上記ネットワークアプリケーションプログラムが第１ＣＳＧ  ＩＤに対応するホーム基地局における特定のネットワークアプリケーションプログラムであるか否かを判断し、
上記ネットワークアプリケーションプログラムが第１ＣＳＧ  ＩＤに対応するホーム基地局における特定のネットワークアプリケーションプログラムであると判断された場合、上記ネットワークアプリケーションプログラムを、第１ＣＳＧ  ＩＤに対応するホーム基地局に関連付けられているホーム基地局エリアローカルネットワークアプリケーションサーバにアクセスさせ、
上記ネットワークアプリケーションプログラムが第１ＣＳＧ  ＩＤに対応するホーム基地局における特定のネットワークアプリケーションプログラムではないと判断された場合、上記ネットワークアプリケーションプログラムを、第１ＣＳＧエリアネットワークにおけるＣＳＧエリアローカルネットワークアプリケーションサーバにアクセスさせることを特徴とする請求項５に記載の方法。
【請求項７】
ユーザ設備であって、
上記ユーザ設備の滞留先又は切替先である第１セルの第１ＣＳＧ  ＩＤを取得するセル属性取得ユニットと、
ＣＳＧ  ＩＤとユーザインタフェースとの所定の対応関係に基づいて、第１ＣＳＧ  ＩＤに対応する第１ユーザインタフェースを確定するユーザインタフェース確定ユニットと、
上記ユーザ設備のユーザインタフェースを上記第１ユーザインタフェースに変更するユーザインタフェース変更ユニットと、
を備え、
上記セル属性取得ユニットは、更に、上記第１セルが所属するホーム基地局の第１ホーム基地局名を取得し、
上記ユーザインタフェース確定ユニットは、更に、セルのＣＳＧ  ＩＤとセルが所属するホーム基地局の名称が含まれるセル属性とユーザインタフェースとの所定の対応関係に基づいて、上記第１ＣＳＧ  ＩＤと第１ホーム基地局名に対応する上記第１ユーザインタフェースを確定することを特徴とするユーザ設備。
【請求項８】
セルの選択又は再選択を実行することにより上記第１セルに滞留し、又は、セルの切替によって上記第１セルにアクセスするための移動性制御ユニットを更に備えることを特徴とする請求項７に記載のユーザ設備。
【請求項９】
上記ユーザ設備のユーザインタフェースを上記第１ユーザインタフェースに変更した後、第１ユーザインタフェースに含まれるネットワークアプリケーションプログラムに基づいて、上記ネットワークアプリケーションプログラムを起動し、上記ネットワークアプリケーションプログラムと、上記第１ＣＳＧ  ＩＤに対応する第１ＣＳＧエリアネットワークにおけるネットワークアプリケーションプログラム接続サーバとの接続を活性化し、上記ネットワークアプリケーションプログラム接続サーバを介して、上記ネットワークアプリケーションプログラムを、第１ＣＳＧエリアネットワークにおけるネットワークアプリケーションサーバ又はコアネットワークにおけるネットワークアプリケーションサーバにアクセスさせるためのネットワークアプリケーションプログラムエンジンユニットを更に備えることを特徴とする請求項７に記載のユーザ設備。
【請求項１０】
上記ユーザ設備のユーザインタフェースを上記第１ユーザインタフェースに変更した後、第１ユーザインタフェースに含まれるネットワークアプリケーションプログラムに基づいて、上記ネットワークアプリケーションプログラムを起動し、上記ネットワークアプリケーションプログラムのアクセスパラメータに基づいて、上記ネットワークアプリケーションプログラムが、上記第１ＣＳＧ  ＩＤに対応する第１ＣＳＧエリアネットワークにおける特定のネットワークアプリケーションプログラムであるか否かを判断するためのネットワークアプリケーションプログラムエンジンユニットを更に備え、
上記第１ＣＳＧ  ＩＤに対応する第１ＣＳＧエリアネットワークにおける特定のネットワークアプリケーションプログラムであると判断された場合、上記ネットワークアプリケーションプログラムと、上記第１ＣＳＧエリアネットワークにおけるネットワークアプリケーションプログラム接続サーバとの接続を活性化し、上記ネットワークアプリケーションプログラムを、上記ネットワークアプリケーションプログラム接続サーバを介して、第１ＣＳＧエリアネットワークにおけるネットワークアプリケーションサーバにアクセスさせ、
上記第１ＣＳＧ  ＩＤに対応する第１ＣＳＧエリアネットワークにおける特定のネットワークアプリケーションプログラムではないと判断された場合、上記ネットワークアプリケーションプログラムを、コアネットワークにおけるコアネットワークアプリケーションサーバにアクセスさせることを特徴とする請求項７に記載のユーザ設備。
【請求項１１】
第１ＣＳＧ  ＩＤに対応する第１セルと、
第１ＣＳＧ  ＩＤに対応し、ネットワークアプリケーションプログラム接続サーバとＣＳＧエリアローカルネットワークアプリケーションサーバとを含む第１ＣＳＧエリアネットワークと、
ユーザ設備と、
を備える移動通信システムにおいて、
上記ユーザ設備は、
自設備が第１セルに滞留又は切り替えた後、上記第１セルの第１ＣＳＧ  ＩＤを取得し、ＣＳＧ  ＩＤとユーザインタフェースとの所定の対応関係に基づいて、第１ＣＳＧ  ＩＤに対応する第１ユーザインタフェースを確定し、自設備のユーザインタフェースを上記第１ユーザインタフェースに変更し、第１ユーザインタフェースに含まれるネットワークアプリケーションプログラムに基づいて、上記ネットワークアプリケーションプログラムを起動し、上記ネットワークアプリケーションプログラムと、上記ネットワークアプリケーションプログラム接続サーバとの接続を活性化し、
上記ネットワークアプリケーションプログラム接続サーバは、上記ネットワークアプリケーションプログラムのアクセスパラメータに基づいて、上記ネットワークアプリケーションプログラムが、第１ＣＳＧエリアネットワークにおける特定のネットワークアプリケーションプログラムであるか否かを判断し、
第１ＣＳＧエリアネットワークにおける特定のネットワークアプリケーションプログラムであると判断された場合、上記ネットワークアプリケーションプログラムを、第１ＣＳＧエリアネットワークにおけるＣＳＧエリアローカルネットワークアプリケーションサーバにアクセスさせ、
第１ＣＳＧエリアネットワークにおける特定のネットワークアプリケーションプログラムではないと判断された場合、上記ネットワークアプリケーションプログラムを、コアネットワークにおけるコアネットワークアプリケーションサーバにアクセスさせることを特徴とする移動通信システム。
【請求項１２】
上記第１ＣＳＧエリアネットワークは、第１ＣＳＧ  ＩＤに対応するホーム基地局に関連付けられているホーム基地局エリアローカルネットワークアプリケーションサーバを更に備え、
上記ネットワークアプリケーションプログラム接続サーバは、上記ネットワークアプリケーションプログラムが第１ＣＳＧエリアネットワークにおける特定のネットワークアプリケーションプログラムであると判断した後、更に、上記ネットワークアプリケーションプログラムが第１ＣＳＧ  ＩＤに対応するホーム基地局における特定のネットワークアプリケーションプログラムであるか否かを判断し、
上記ネットワークアプリケーションプログラムが第１ＣＳＧ  ＩＤに対応するホーム基地局における特定のネットワークアプリケーションプログラムであると判断された場合、上記ネットワークアプリケーションプログラムを、第１ＣＳＧ  ＩＤに対応するホーム基地局に関連付けられているホーム基地局エリアローカルネットワークアプリケーションサーバにアクセスさせ、
上記ネットワークアプリケーションプログラムが第１ＣＳＧ  ＩＤに対応するホーム基地局における特定のネットワークアプリケーションプログラムではないと判断された場合、上記ネットワークアプリケーションプログラムを、第１ＣＳＧエリアネットワークにおけるＣＳＧエリアローカルネットワークアプリケーションサーバにアクセスさせることを特徴とする請求項１１に記載の移動通信システム。
【請求項１３】
第１ＣＳＧ  ＩＤに対応する第１セルと、
第１ＣＳＧ  ＩＤに対応し、ネットワークアプリケーションプログラム接続サーバとＣＳＧエリアローカルネットワークアプリケーションサーバとを含む第１ＣＳＧエリアネットワークと、
ユーザ設備と、
を備える移動通信システムにおいて、
上記ユーザ設備は、
自設備が第１セルに滞留又は切り替えた後、上記第１セルのＣＳＧ  ＩＤである第１ＣＳＧ  ＩＤを取得し、ＣＳＧ  ＩＤとユーザインタフェースとの所定の対応関係に基づいて、第１ＣＳＧ  ＩＤに対応する第１ユーザインタフェースを確定し、自設備のユーザインタフェースを上記第１ユーザインタフェースに変更し、第１ユーザインタフェースに含まれるネットワークアプリケーションプログラムに基づいて、上記ネットワークアプリケーションプログラムを起動し、上記ネットワークアプリケーションプログラムのアクセスパラメータに基づいて、上記ネットワークアプリケーションプログラムが、上記第１ＣＳＧ  ＩＤに対応する第１ＣＳＧエリアネットワークにおける特定のネットワークアプリケーションプログラムであるか否かを判断し、
上記第１ＣＳＧ  ＩＤに対応する第１ＣＳＧエリアネットワークにおける特定のネットワークアプリケーションプログラムであると判断された場合、上記ネットワークアプリケーションプログラムと、上記第１ＣＳＧエリアネットワークにおけるネットワークアプリケーションプログラム接続サーバとの接続を活性化し、
上記第１ＣＳＧ  ＩＤに対応する第１ＣＳＧエリアネットワークにおける特定のネットワークアプリケーションプログラムではないと判断された場合、上記ネットワークアプリケーションプログラムを、コアネットワークにおけるコアネットワークアプリケーションサーバにアクセスさせ、
上記ネットワークアプリケーションプログラム接続サーバは、上記ネットワークアプリケーションプログラムを、第１ＣＳＧエリアネットワークにおけるＣＳＧエリアローカルネットワークアプリケーションサーバにアクセスさせることを特徴とする移動通信システム。
【請求項１４】
上記第１ＣＳＧエリアネットワークは、第１ＣＳＧ  ＩＤに対応するホーム基地局に関連付けられているホーム基地局エリアローカルネットワークアプリケーションサーバを更に備え、
上記ネットワークアプリケーションプログラム接続サーバは、更に、上記ネットワークアプリケーションプログラムが、第１ＣＳＧ  ＩＤに対応するホーム基地局における特定のネットワークアプリケーションプログラムであるか否かを判断し、
上記ネットワークアプリケーションプログラムが第１ＣＳＧ  ＩＤに対応するホーム基地局における特定のネットワークアプリケーションプログラムであると判断された場合、上記ネットワークアプリケーションプログラムを、第１ＣＳＧ  ＩＤに対応するホーム基地局に関連付けられているホーム基地局エリアローカルネットワークアプリケーションサーバにアクセスさせ、
上記ネットワークアプリケーションプログラムが第１ＣＳＧ  ＩＤに対応するホーム基地局における特定のネットワークアプリケーションプログラムではないと判断された場合、上記ネットワークアプリケーションプログラムを、第１ＣＳＧエリアネットワークにおけるＣＳＧエリアローカルネットワークアプリケーションサーバにアクセスさせることを特徴とする請求項１３に記載の移動通信システム。
【発明の詳細な説明】
【技術分野】
【０００１】
本発明は、移動通信の技術分野に関し、特に、ユーザ設備ＵＥ（User  Equipment）のユーザインタフェースＵＩ（User  Interface）を管理する方法、ユーザ設備及び移動通信システムに関する。
【背景技術】
【０００２】
進化パケットシステムＥＰＳ（Evolved  Packet  System）は、３ＧＰＰによって開発された、長期進化ＬＴＥ（Long  Term  Evolution）システムに基づくネットワークアーキテクチャーであり、図１に示すように、Ｅ−ＵＴＲＡＮ（Evolved-Universal  Terrestrial  Radio  Access  Network）とＥＰＣ（Evolved  Packet  Core）を含む。
【０００３】
Ｅ−ＵＴＲＡＮは、３ＧＰＰによって開発された、長期進化ＬＴＥ（Long  Term  Evolution）システムに基づくネットワークアーキテクチャーであり、主に基地局ｅＮＢ（Evolved  NodeB）、ホーム基地局ＨｅＮＢ（Home  evolved  NodeB）及びユーザ設備の三種類のネットワーク実体を含み、エアインタフェース上の基地局とユーザ設備との間の、ユーザプレーンと制御プレーン間におけるプロトコル処理とデータ伝送に用いる。
【０００４】
ｅＮＢによるカバーレッジは、広域にわたる。一方、ＨｅＮＢによるカバーレッジは、範囲が小さいが透過力が強く、ホームエリアとホットポイントエリアにおける信号のカバーレッジの欠陥を軽減させ、これらのエリアの通信品質とユーザ体験満足度を向上させる。ＨｅＮＢは、例えばＡＤＳＬ（Asymmetric  Digital  Subscriber  Line）や光ファイバなどのブロードバンドアクセス技術を利用してプロバイダーのコアネットワークにアクセスする。
【０００５】
ＥＰＣは、主にＭＭＥ（Mobility  Management  Entity）、ＨＳＳ（Home  Subscriber  Server）、ＳＧＷ（Serving  Gateway）及びＰＧＷ（Packet  Data  Network  Gateway）を含む。
【０００６】
ＭＭＥは、ＥＰＳの制御プレーンのネットワーク実体であり、主な機能として、ユーザ設備の移動性管理、セッション管理、非アクセスレイヤシグナリングの処理及び暗号化、シグナリングの合法的監視、ＰＧＷ／ＳＧＷ／ＭＭＥの選択、エラーメッセージの伝送、エラーメッセージに適切なｅＮＢ又はＨｅＮＢを選択することなどが挙げられる。ＭＭＥは、Ｓ１‐ＭＭＥインタフェースを介してｅＮＢ／ＨｅＮＢに接続する。
【０００７】
ＨＳＳは、ユーザＩＤ、携帯電話番号、各種の契約のＱｏＳ（Quality  of  Service）パラメータ、ユーザにサービスを提供するＭＭＥ及びＰＧＷのアドレスなど、ユーザの契約データを格納する。
【０００８】
ＳＧＷは、ＥＰＳのユーザプレーンのネットワーク実体であり、ｅＮＢ／ＨｅＮＢ間における切り替えの移動性アンカーポイントであり、３ＧＰＰシステム間における切替の移動性アンカーポイントでもあり、パケットのルーティング及び転送、ユーザプレーンの合法的監視、空き状態ユーザ設備の下りデータバッファリング、ローミングにおけるホームルーティングデータの上り／下り課金などの機能を実行する。ＳＧＷは、Ｓ１‐Ｕインタフェースを介してｅＮＢ／ＨｅＮＢに接続する。
【０００９】
ＰＧＷは、ＥＰＳネットワーク及びインターネットなどのパケットデータネットワークに接続するゲートウェイであり、主に、上り／下りデータストリームの閾値制御、ＵＥに対するＩＰアドレスの割当て、合法的監視などの機能を処理する。
【００１０】
また、図２は、ユーザインタフェース内容の記憶及び管理に関する一般化システムが示されており、ユーザインタフェース内容記憶サーバ、ユーザインタフェース内容管理サーバ、ユーザポータル、インターネット、移動電話網及びユーザ設備を含む。
【００１１】
ユーザインタフェース内容記憶サーバは、ユーザの選択に供する、又はユーザがカスタマイズするユーザインタフェース内容を記憶する。ユーザインタフェース内容は、詳しく待機画面（例えば壁紙）、メニュー画面、アプリケーションプログラムアイコン（例えばアプリケーションプログラムのショートカットアイコン）、電池電量表示、信号強度表示などを含む。
【００１２】
ユーザインタフェース内容管理サーバは、ユーザインタフェース内容の管理をするためのものであり、主にユーザ要求データに基づく対応ユーザインタフェース内容の選択、ユーザインタフェース内容のデジタル著作権の管理、ユーザインタフェース内容のバージョン更新の管理をする。
【００１３】
ユーザポータルは、ユーザ設備に向けたポータルサイトであり、ユーザインタフェース内容関連情報の提供、ユーザ要求の処理、ユーザのユーザインタフェース内容取得権限の管理、対応するユーザインタフェース内容のユーザ設備への配信などをする。
【００１４】
インターネットと移動電話網は、ユーザポータルとユーザ間のチャネルであり、主にユーザ設備とユーザポータルとの間のＩＰ接続を確立するためのものである。移動電話網は、そのほかに、ユーザの承認、ユーザインタフェース内容カスタマイズサービス課金などをするためのものでもある。
【００１５】
ネットワークアプリケーションプログラムがアクセスする一般化システムは、図３に示すように、ネットワークプログラムライブラリ／アクセスサーバ、ネットワークプログラム管理サーバ、ユーザポータル、インターネット、移動電話網及びユーザ設備を含む。
【００１６】
ネットワークプログラムライブラリ／アクセスサーバは、ネットワークアプリケーションプログラムを記憶し、ネットワークアプリケーションプログラムのアクセス及びネットワークアプリケーションプログラムで指定されたネットワークサービスを提供する。
【００１７】
ネットワークプログラム管理サーバは、ネットワークプログラムの管理をするためのものであり、主にユーザ要求データに基づく対応ネットワークアプリケーションプログラムの選択、ネットワークアプリケーションプログラムのデジタル著作権の管理、ネットワークアプリケーションプログラムのバージョン更新の管理をする。
【００１８】
ユーザポータルは、ユーザ設備に向けたポータルサイトであり、ネットワークアプリケーションプログラム関連情報の提供、ユーザ要求の処理、ユーザのネットワークアプリケーションプログラム取得権限の管理、対応するネットワークアプリケーションプログラムのユーザ設備への配信などをする。
【００１９】
インターネットと移動電話網は、アクセスサーバ及びユーザポータルと、ユーザとの間のチャネルであり、主にユーザ設備からアクセスサーバ又はユーザポータルとの間のＩＰ接続を確立するためのものである。移動電話網は、そのほかに、ユーザの承認、ユーザインタフェース内容カスタマイズサービス課金などをするためのものでもある。
【００２０】
従来技術では、ユーザインタフェース内容とネットワークアプリケーションプログラムのカスタマイズダウンロード及びネットワークアプリケーションプログラムのオンラインアクセスのみ提供する。ＨｅＮＢが広範に配置されることにより、ユーザ設備が家庭、会社、学校など異なるＣＳＧ（Closed  Subscriber  Group）エリアにカバーされているＨｅＮＢセルに進入するとき、特定のシーンにおける特定の需要を満足するために、如何にして様々なシーンに適したユーザインタフェース内容とネットワークアプリケーションプログラムを提供して、特定のＣＳＧ又は特定のＨｅＮＢのネットワークアプリケーションプログラムを提供するかについては、従来技術ではまだ対応した技術案が提案されていない。
【発明の概要】
【発明が解決しようとする課題】
【００２１】
本発明は、ユーザ設備が進入したセルに応じてユーザ設備インタフェース内容の変更を柔軟に制御できる、ユーザ設備のユーザインタフェースを管理する方法、ユーザ設備及び移動通信システムを提供することを、解決しようとする技術課題としている。また、本発明は、ＣＳＧユーザに特定のネットワークアプリケーションサービスを提供することもできる。
【課題を解決するための手段】
【００２２】
上記技術課題を解決するために、本発明による技術案は、下記のとおりである。
【００２３】
ユーザ設備のユーザインタフェースを管理する方法であって、上記ユーザ設備の滞留先又は切替先である第１セルの第１ＣＳＧ  ＩＤを取得することと、ＣＳＧ  ＩＤとユーザインタフェースとの所定の対応関係に基づいて、第１ＣＳＧ  ＩＤに対応する第１ユーザインタフェースを確定することと、上記ユーザ設備のユーザインタフェースを上記第１ユーザインタフェースに変更することとを含む。
【００２４】
好ましくは、上記方法において、更に、上記第１セルが所属するホーム基地局の第１ホーム基地局名を取得し、セルのＣＳＧ  ＩＤとセルが所属するホーム基地局の名称が含まれるセル属性とユーザインタフェースとの所定の対応関係に基づいて、上記第１ＣＳＧ  ＩＤと第１ホーム基地局名に対応する上記第１ユーザインタフェースを確定する。
【００２５】
好ましくは、上記方法において、上記ユーザ設備の滞留先又は切替先である第１セルの第１ＣＳＧ  ＩＤを取得することの前、上記ユーザ設備がセルの選択又は再選択を実行することにより上記第１セルに滞留し、又は、上記ユーザ設備がセルの切替によって上記第１セルにアクセスすることを含む。
【００２６】
好ましくは、上記方法において、上記ユーザ設備のユーザインタフェースを上記第１ユーザインタフェースに変更することの後、第１ユーザインタフェースに含まれるネットワークアプリケーションプログラムに基づいて、上記ネットワークアプリケーションプログラムを起動し、上記ネットワークアプリケーションプログラムと、上記第１ＣＳＧ  ＩＤに対応する第１ＣＳＧエリアネットワークにおけるネットワークアプリケーションプログラム接続サーバとの接続を活性化することと、上記ネットワークアプリケーションプログラム接続サーバは、上記ネットワークアプリケーションプログラムのアクセスパラメータに基づいて、上記ネットワークアプリケーションプログラムが、第１ＣＳＧエリアネットワークにおける特定のネットワークアプリケーションプログラムであるか否かを判断することとを含み、第１ＣＳＧエリアネットワークにおける特定のネットワークアプリケーションプログラムであると判断された場合、上記ネットワークアプリケーションプログラムを、第１ＣＳＧエリアネットワークにおけるＣＳＧエリアローカルネットワークアプリケーションサーバにアクセスさせ、第１ＣＳＧエリアネットワークにおける特定のネットワークアプリケーションプログラムではないと判断された場合、上記ネットワークアプリケーションプログラムを、コアネットワークにおけるコアネットワークアプリケーションサーバにアクセスさせる。
【００２７】
好ましくは、上記方法において、上記ネットワークアプリケーションプログラムが第１ＣＳＧエリアネットワークにおける特定のネットワークアプリケーションプログラムであると判断した後、更に、上記ネットワークアプリケーションプログラムが第１ＣＳＧ  ＩＤに対応するホーム基地局における特定のネットワークアプリケーションプログラムであるか否かを判断し、上記ネットワークアプリケーションプログラムが第１ＣＳＧ  ＩＤに対応するホーム基地局における特定のネットワークアプリケーションプログラムであると判断された場合、上記ネットワークアプリケーションプログラムを、第１ＣＳＧ  ＩＤに対応するホーム基地局に関連付けられているホーム基地局エリアローカルネットワークアプリケーションサーバにアクセスさせ、上記ネットワークアプリケーションプログラムが第１ＣＳＧ  ＩＤに対応するホーム基地局における特定のネットワークアプリケーションプログラムではないと判断された場合、上記ネットワークアプリケーションプログラムを、第１ＣＳＧエリアネットワークにおけるＣＳＧエリアローカルネットワークアプリケーションサーバにアクセスさせる。
【００２８】
好ましくは、上記方法において、上記ユーザ設備のユーザインタフェースを上記第１ユーザインタフェースに変更することの後、更に、第１ユーザインタフェースに含まれるネットワークアプリケーションプログラムに基づいて、上記ネットワークアプリケーションプログラムを起動し、上記ネットワークアプリケーションプログラムのアクセスパラメータに基づいて、上記ネットワークアプリケーションプログラムが、上記第１ＣＳＧ  ＩＤに対応する第１ＣＳＧエリアネットワークにおける特定のネットワークアプリケーションプログラムであるか否かを判断することを含み、上記第１ＣＳＧ  ＩＤに対応する第１ＣＳＧエリアネットワークにおける特定のネットワークアプリケーションプログラムであると判断された場合、上記ネットワークアプリケーションプログラムと、上記第１ＣＳＧエリアネットワークにおけるネットワークアプリケーションプログラム接続サーバとの接続を活性化し、上記ネットワークアプリケーションプログラムを、上記ネットワークアプリケーションプログラム接続サーバを介して、第１ＣＳＧエリアネットワークにおけるＣＳＧエリアローカルネットワークアプリケーションサーバにアクセスさせ、上記第１ＣＳＧ  ＩＤに対応する第１ＣＳＧエリアネットワークにおける特定のネットワークアプリケーションプログラムではないと判断された場合、上記ネットワークアプリケーションプログラムを、コアネットワークにおけるコアネットワークアプリケーションサーバにアクセスさせる。
【００２９】
好ましくは、上記方法において、上記ネットワークアプリケーションプログラムと、上記第１ＣＳＧエリアネットワークにおけるネットワークアプリケーションプログラム接続サーバとの接続を活性化した後、上記ネットワークアプリケーションプログラム接続サーバは、更に、上記ネットワークアプリケーションプログラムが第１ＣＳＧ  ＩＤに対応するホーム基地局における特定のネットワークアプリケーションプログラムであるか否かを判断し、上記ネットワークアプリケーションプログラムが第１ＣＳＧ  ＩＤに対応するホーム基地局における特定のネットワークアプリケーションプログラムであると判断された場合、上記ネットワークアプリケーションプログラムを、第１ＣＳＧ  ＩＤに対応するホーム基地局に関連付けられているホーム基地局エリアローカルネットワークアプリケーションサーバにアクセスさせ、上記ネットワークアプリケーションプログラムが第１ＣＳＧ  ＩＤに対応するホーム基地局における特定のネットワークアプリケーションプログラムではないと判断された場合、上記ネットワークアプリケーションプログラムを、第１ＣＳＧエリアネットワークにおけるＣＳＧエリアローカルネットワークアプリケーションサーバにアクセスさせる。
【００３０】
本発明は、ユーザ設備を提供する。該ユーザ設備は、上記ユーザ設備の滞留先又は切替先である第１セルの第１ＣＳＧ  ＩＤを取得するセル属性取得ユニットと、ＣＳＧ  ＩＤとユーザインタフェースとの所定の対応関係に基づいて、第１ＣＳＧ  ＩＤに対応する第１ユーザインタフェースを確定するユーザインタフェース確定ユニットと、上記ユーザ設備のユーザインタフェースを上記第１ユーザインタフェースに変更するユーザインタフェース変更ユニットと、を備える。
【００３１】
好ましくは、上記セル属性取得ユニットは、更に、上記第１セルが所属するホーム基地局の第１ホーム基地局名を取得し、上記ユーザインタフェース確定ユニットは、更に、セルのＣＳＧ  ＩＤとセルが所属するホーム基地局の名称が含まれるセル属性とユーザインタフェースとの所定の対応関係に基づいて、上記第１ＣＳＧ  ＩＤと第１ホーム基地局名に対応する上記第１ユーザインタフェースを確定する。
【００３２】
好ましくは、上記ユーザ設備において、セルの選択又は再選択を実行することにより上記第１セルに滞留し、又は、セルの切替によって上記第１セルにアクセスするための移動性制御ユニットを更に備える。
【００３３】
好ましくは、上記ユーザ設備において、上記ユーザ設備のユーザインタフェースを上記第１ユーザインタフェースに変更した後、第１ユーザインタフェースに含まれるネットワークアプリケーションプログラムに基づいて、上記ネットワークアプリケーションプログラムを起動し、上記ネットワークアプリケーションプログラムと、上記第１ＣＳＧ  ＩＤに対応する第１ＣＳＧエリアネットワークにおけるネットワークアプリケーションプログラム接続サーバとの接続を活性化し、上記ネットワークアプリケーションプログラム接続サーバを介して、上記ネットワークアプリケーションプログラムを、第１ＣＳＧエリアネットワークにおけるネットワークアプリケーションサーバ又はコアネットワークにおけるネットワークアプリケーションサーバにアクセスさせるためのネットワークアプリケーションプログラムエンジンユニットを更に備える。
【００３４】
好ましくは、上記ユーザ設備において、上記ユーザ設備のユーザインタフェースを上記第１ユーザインタフェースに変更した後、第１ユーザインタフェースに含まれるネットワークアプリケーションプログラムに基づいて、上記ネットワークアプリケーションプログラムを起動し、上記ネットワークアプリケーションプログラムのアクセスパラメータに基づいて、上記ネットワークアプリケーションプログラムが、上記第１ＣＳＧ  ＩＤに対応する第１ＣＳＧエリアネットワークにおける特定のネットワークアプリケーションプログラムであるか否かを判断するためのネットワークアプリケーションプログラムエンジンユニットを更に備え、上記第１ＣＳＧ  ＩＤに対応する第１ＣＳＧエリアネットワークにおける特定のネットワークアプリケーションプログラムであると判断された場合、上記ネットワークアプリケーションプログラムと、上記第１ＣＳＧエリアネットワークにおけるネットワークアプリケーションプログラム接続サーバとの接続を活性化し、上記ネットワークアプリケーションプログラムを、上記ネットワークアプリケーションプログラム接続サーバを介して、第１ＣＳＧエリアネットワークにおけるネットワークアプリケーションサーバにアクセスさせ、上記第１ＣＳＧ  ＩＤに対応する第１ＣＳＧエリアネットワークにおける特定のネットワークアプリケーションプログラムではないと判断された場合、上記ネットワークアプリケーションプログラムを、コアネットワークにおけるコアネットワークアプリケーションサーバにアクセスさせる。
【００３５】
本発明は、第１ＣＳＧ  ＩＤに対応する第１セルと、第１ＣＳＧ  ＩＤに対応し、ネットワークアプリケーションプログラム接続サーバとＣＳＧエリアローカルネットワークアプリケーションサーバとを含む第１ＣＳＧエリアネットワークと、ユーザ設備と、を備える移動通信システムを提供する。該移動通信システムにおいて、上記ユーザ設備は、自設備が第１セルに滞留又は切り替えた後、上記第１セルの第１ＣＳＧ  ＩＤを取得し、ＣＳＧ  ＩＤとユーザインタフェースとの所定の対応関係に基づいて、第１ＣＳＧ  ＩＤに対応する第１ユーザインタフェースを確定し、自設備のユーザインタフェースを上記第１ユーザインタフェースに変更し、第１ユーザインタフェースに含まれるネットワークアプリケーションプログラムに基づいて、上記ネットワークアプリケーションプログラムを起動し、上記ネットワークアプリケーションプログラムと、上記ネットワークアプリケーションプログラム接続サーバとの接続を活性化し、上記ネットワークアプリケーションプログラム接続サーバは、上記ネットワークアプリケーションプログラムのアクセスパラメータに基づいて、上記ネットワークアプリケーションプログラムが、第１ＣＳＧエリアネットワークにおける特定のネットワークアプリケーションプログラムであるか否かを判断し、
第１ＣＳＧエリアネットワークにおける特定のネットワークアプリケーションプログラムであると判断された場合、上記ネットワークアプリケーションプログラムを、第１ＣＳＧエリアネットワークにおけるＣＳＧエリアローカルネットワークアプリケーションサーバにアクセスさせ、第１ＣＳＧエリアネットワークにおける特定のネットワークアプリケーションプログラムではないと判断された場合、上記ネットワークアプリケーションプログラムを、コアネットワークにおけるコアネットワークアプリケーションサーバにアクセスさせる。
【００３６】
好ましくは、上記移動通信システムにおいて、上記第１ＣＳＧエリアネットワークは、第１ＣＳＧ  ＩＤに対応するホーム基地局に関連付けられているホーム基地局エリアローカルネットワークアプリケーションサーバを更に備え、上記ネットワークアプリケーションプログラム接続サーバは、上記ネットワークアプリケーションプログラムが第１ＣＳＧエリアネットワークにおける特定のネットワークアプリケーションプログラムであると判断した後、更に、上記ネットワークアプリケーションプログラムが第１ＣＳＧ  ＩＤに対応するホーム基地局における特定のネットワークアプリケーションプログラムであるか否かを判断し、上記ネットワークアプリケーションプログラムが第１ＣＳＧ  ＩＤに対応するホーム基地局における特定のネットワークアプリケーションプログラムであると判断された場合、上記ネットワークアプリケーションプログラムを、第１ＣＳＧ  ＩＤに対応するホーム基地局に関連付けられているホーム基地局エリアローカルネットワークアプリケーションサーバにアクセスさせ、上記ネットワークアプリケーションプログラムが第１ＣＳＧ  ＩＤに対応するホーム基地局における特定のネットワークアプリケーションプログラムではないと判断された場合、上記ネットワークアプリケーションプログラムを、第１ＣＳＧエリアネットワークにおけるＣＳＧエリアローカルネットワークアプリケーションサーバにアクセスさせる。
【００３７】
本発明は、第１ＣＳＧ  ＩＤに対応する第１セルと、第１ＣＳＧ  ＩＤに対応し、ネットワークアプリケーションプログラム接続サーバとＣＳＧエリアローカルネットワークアプリケーションサーバとを含む第１ＣＳＧエリアネットワークと、ユーザ設備と、を備える別の移動通信システムを提供する。該移動通信システムにおいて、上記ユーザ設備は、自設備が第１セルに滞留又は切り替えた後、上記第１セルのＣＳＧ  ＩＤである第１ＣＳＧ  ＩＤを取得し、ＣＳＧ  ＩＤとユーザインタフェースとの所定の対応関係に基づいて、第１ＣＳＧ  ＩＤに対応する第１ユーザインタフェースを確定し、自設備のユーザインタフェースを上記第１ユーザインタフェースに変更し、第１ユーザインタフェースに含まれるネットワークアプリケーションプログラムに基づいて、上記ネットワークアプリケーションプログラムを起動し、上記ネットワークアプリケーションプログラムのアクセスパラメータに基づいて、上記ネットワークアプリケーションプログラムが、上記第１ＣＳＧ  ＩＤに対応する第１ＣＳＧエリアネットワークにおける特定のネットワークアプリケーションプログラムであるか否かを判断し、上記第１ＣＳＧ  ＩＤに対応する第１ＣＳＧエリアネットワークにおける特定のネットワークアプリケーションプログラムであると判断された場合、上記ネットワークアプリケーションプログラムと、上記第１ＣＳＧエリアネットワークにおけるネットワークアプリケーションプログラム接続サーバとの接続を活性化し、上記第１ＣＳＧ  ＩＤに対応する第１ＣＳＧエリアネットワークにおける特定のネットワークアプリケーションプログラムではないと判断された場合、上記ネットワークアプリケーションプログラムを、コアネットワークにおけるコアネットワークアプリケーションサーバにアクセスさせ、上記ネットワークアプリケーションプログラム接続サーバは、上記ネットワークアプリケーションプログラムを、第１ＣＳＧエリアネットワークにおけるＣＳＧエリアローカルネットワークアプリケーションサーバにアクセスさせる。
【００３８】
好ましくは、上記移動通信システムにおいて、上記第１ＣＳＧエリアネットワークは、第１ＣＳＧ  ＩＤに対応するホーム基地局に関連付けられているホーム基地局エリアローカルネットワークアプリケーションサーバを更に備え、上記ネットワークアプリケーションプログラム接続サーバは、更に、上記ネットワークアプリケーションプログラムが、第１ＣＳＧ  ＩＤに対応するホーム基地局における特定のネットワークアプリケーションプログラムであるか否かを判断し、上記ネットワークアプリケーションプログラムが第１ＣＳＧ  ＩＤに対応するホーム基地局における特定のネットワークアプリケーションプログラムであると判断された場合、上記ネットワークアプリケーションプログラムを、第１ＣＳＧ  ＩＤに対応するホーム基地局に関連付けられているホーム基地局エリアローカルネットワークアプリケーションサーバにアクセスさせ、上記ネットワークアプリケーションプログラムが第１ＣＳＧ  ＩＤに対応するホーム基地局における特定のネットワークアプリケーションプログラムではないと判断された場合、上記ネットワークアプリケーションプログラムを、第１ＣＳＧエリアネットワークにおけるＣＳＧエリアローカルネットワークアプリケーションサーバにアクセスさせる。
【発明の効果】
【００３９】
上記記載から分かるように、本発明によるユーザ設備のユーザインタフェースを管理する方法、ユーザ設備及び移動通信システムは、ＣＳＧエリアにトリガーされるユーザ設備インタフェース変更及びネットワークアプリケーションプログラムのアクセスにより、ユーザ設備が空き状態又は接続状態においてホーム基地局セルにアクセスすると同時に、自動的にインタフェースを変更することができ、プロバイダー又は管理者又はユーザ本人が需要に応じて、特定のＣＳＧエリア又は特定のホーム基地局におけるユーザインタフェースを柔軟に配置することができ、移動通信の付加価値サービスに対するホーム基地局の価値が高められ、ホーム基地局利用ユーザの満足度が向上した。また、本発明の実施例は、ＣＳＧエリアローカルネットワークサーバを利用することにより、ＣＳＧエリアローカルネットワークアプリケーションサービスとホーム基地局エリアローカルネットワークアプリケーションサービスとを含む特定のネットワークアプリケーションサービスをＣＳＧユーザに対して提供する。更に、本発明の実施例は、一組のＣＳＧユーザに対して統一されたネットワークアプリケーションサービスを提供することもできるし、単一なＣＳＧユーザによりネットワークアプリケーションサービスを予め設定することもできる。本発明の実施例は、カスタマイズインタフェースとネットワークアプリケーションサービスの提供におけるホーム基地局の潜在力を充分に発揮させており、ネットワークに価値を付加し、ユーザ設備とネットワーク（ＣＳＧエリアネットワークとＨｅＮＢローカルネットワークを含む）とを自動的且つ有機的に関連付け、ユーザ設備の智能性と使用便利性を向上させた。
【図面の簡単な説明】
【００４０】
【図１】従来技術のＨｅＮＢに関するＥＰＳのアーキテクチャーを示す。
【図２】従来技術におけるユーザインタフェース内容記憶及び管理の一般化システムを示す。
【図３】従来技術におけるネットワークアプリケーションプログラムアクセスの一般化システムを示す。
【図４】本発明の実施例によるユーザ設備のユーザインタフェースの一例を示す。
【図５】本発明の実施例によるユーザ設備のユーザインタフェースを管理する方法の流れを示す。
【図６】本発明の別の実施例によるユーザインタフェース管理方法の流れを示す。
【図７】本発明の更に別の実施例によるユーザインタフェース管理方法の流れを示す。
【図８】本発明の実施例による方法の、ユーザインタフェース変更後の流れを示す。
【図９】図８に示す方法を応用する移動通信システムを示す。
【図１０】本発明の別の実施例による方法の、ユーザインタフェース変更後の流れを示す。
【図１１】図１０に示す方法を応用する移動通信システムを示す。
【図１２】ユーザ設備におけるインタフェース変更とネットワークアプリケーションプログラム属性管理対象の構造図である。
【図１３】本発明の実施例によるユーザ設備の構造図である。
【発明を実施するための形態】
【００４１】
本発明は、ユーザ設備インタフェース変更及びネットワークアプリケーションプログラムのアクセスがＣＳＧエリアによりトリガーされる方法及び装置を提案する。ユーザ設備及び対応する操作フローを通じて、更にＣＳＧエリアローカルネットワークサーバを利用して、ユーザ設備がホーム基地局にアクセスするときに、ユーザ設備インタフェース内容の変更を柔軟に制御し、ＣＳＧユーザに特定のネットワークアプリケーションサービスを提供することを実現する。以下、図面を参照しながら、具体的な実施例を通じて本発明を更に説明する。
【００４２】
ＬＴＥ配置において、ホーム基地局は、プロバイダーや管理者によってオフィスビル、学校、テクニカルパークなどの公共場所に配置され、これらの場所に入るＣＳＧユーザに使用される公共資源とする。この場合、プロバイダーや管理者は、会社社員、学生及び教職員、パークのクライアントなどに特定の（例えば特定の場所のマークを有するとか、特定の場所のスタイルを具現するとか）ユーザインタフェースを提供する願望がある。同時に、これらのユーザに対して、特定の需要（例えば会社業務実施、学校における教授活動、テクニカルパークの管理）を満足するネットワークアプリケーションサービスを提供する。また、一つのＣＳＧエリアには、一つ又は複数のホーム基地局セルカバーレッジを含む可能性があり、各ホーム基地局セルエリアは、同一のＣＳＧエリアのうちより特定の（例えばオフィスビルにある会議室やオフィス、学校の食堂や図書館、テクニカルパーク内の研究室や実験室）ユーザインタフェースを提供し、これらのユーザに対して、特定の需要（会社内の会議や日常業務、学校の授業や図書の閲覧、科学研究や開発試験など）を満足するネットワークアプリケーションサービスを提供する可能性もある。
【００４３】
同時に、ホーム基地局もプロバイダーやユーザによって家庭内に配置され、家庭ＣＳＧユーザに使用される非公共資源とする。この場合、プロバイダーやユーザは、家庭ユーザに特定の（例えば家庭のマークを有するとか、家庭のスタイルを具現するとか）ユーザインタフェースを提供する願望がある。同時に、これらのユーザに対して、特定の需要（例えば家庭日誌管理、家庭デジタル写真アルバム管理、ホームビデオシステム管理など）を満足するネットワークアプリケーションサービスを提供する。
【００４４】
理解しやすくするために、図４には、本発明の実施例によるユーザ設備の二種類のユーザインタフェースが示されている。ユーザ設備は、現在所在するネットワークに応じて現在使用するユーザインタフェースを変更することができる。
【００４５】
図４には、左側が家庭ＣＳＧエリアにトリガーされるユーザ設備インタフェースであり、次の部分を含む。
【００４６】
写真４１とビデオ４２：家庭ＣＳＧユーザが使用するネットワークアプリケーションプログラムのショートカット例であり、それぞれ写真アップロードウィジェット（Widget）のショートカット、ホームビデオ再生制御ウィジェットのショートカットである。
【００４７】
家庭マーク４３：家庭マークを表示する例である。
【００４８】
コンタクトパーソン４４：コンタクトパーソンウィジェットボタンは、コアネットワークアプリケーションプログラムボタンの例示である。
【００４９】
伝言情報４５：家族メンバ伝言情報ウィジェットインタフェースは、家庭ＣＳＧユーザが使用するネットワークアプリケーションプログラムインタフェースの例示である。
【００５０】
図４には、右側が会社ＣＳＧエリアにトリガーされるユーザ設備インタフェースであり、次の部分を含む。
【００５１】
メール４６とスライドフィルム４７：会社ＣＳＧユーザが使用するネットワークアプリケーションプログラムショートカットの例示であり、それぞれ会社メールウィジェットショートカット、スライドフィルム制御ウィジェットショートカットである。
【００５２】
会社マーク４８：会社マークを表示する例である。
【００５３】
コンタクトパーソン４９：コンタクトパーソンウィジェットボタンは、コアネットワークアプリケーションプログラムボタンの例示である。
【００５４】
日程情報４１０：会社社員日程情報ウィジェットインタフェースは、会社ＣＳＧユーザが使用するネットワークアプリケーションプログラムインタフェースの例示である。
【００５５】
図５に示すように、本発明の実施例によるユーザ設備のユーザインタフェース管理方法は、ＣＳＧエリアのトリガーにより、ユーザ設備インタフェースの変更とネットワークアプリケーションプログラムのアクセスを実現する。該方法は、詳しく次のステップを含む。
【００５６】
ステップ１１において、上記ユーザ設備の滞留先又は切替先である第１セルの第１ＣＳＧ  ＩＤを取得する。
【００５７】
ここで、第１セルに滞留する前、上記ユーザ設備は、いかなるセルにも滞留せず、又は、第１セル以外の他のセルに滞留する。第１セルは、具体的に第１ホーム基地局に対応するセルである。
【００５８】
ステップ１２において、ＣＳＧ  ＩＤとユーザインタフェースとの所定の対応関係に基づいて、第１ＣＳＧ  ＩＤに対応する第１ユーザインタフェースを確定する。
【００５９】
ここで、ユーザ設備において、予めＣＳＧ  ＩＤとユーザインタフェースとの上記対応関係を設定してもよい。ユーザが需要に応じて、例えば、待機画面を設定し、ネットワークアプリケーションプログラムのショートカットアイコンを、ユーザインタフェースに設定するなど、各ＣＳＧ  ＩＤに対して、対応するユーザインタフェースを設定することができる。
【００６０】
ステップ１３において、上記ユーザ設備のユーザインタフェースを上記第１ユーザインタフェースに変更する。
【００６１】
上記ステップ１１の前、上記ユーザ設備は、セルの選択又は再選択を実行することによって、上記第１セルに滞留し、又は、セルの切替を通じて上記第１セルにアクセスする。
【００６２】
上記方法において、ユーザ設備において予めＣＳＧ  ＩＤとユーザインタフェースとの対応関係を設定することによって、ユーザは、例えば待機画面、メニュー画面、アプリケーションプログラムアイコン（例えばネットワークアプリケーションプログラムのショートカットアイコン）など、異なるＣＳＧ  ＩＤに対応するユーザインタフェースの内容を自ら設定することができる。ユーザ設備があるセルに進入した後、ユーザ設備のユーザインタフェースを、該セルに該当するＣＳＧ  ＩＤに対応するユーザインタフェースに変更して、ユーザインタフェースがユーザ設備の現在所在するセルの変化に応じて柔軟に調整する機能を実現した。
【００６３】
通常、一つのＣＳＧ  ＩＤに複数のホーム基地局（セル）が対応付けられており、即ち複数のホーム基地局（セル）には同一のＣＳＧ  ＩＤを持つ。例えば、ある大学には複数のホーム基地局が配置されており、これらのホーム基地局には同一のＣＳＧ  ＩＤを持つ。食堂に配置されているホーム基地局と図書館に配置されているホーム基地局は、通常異なるアプリケーションプログラムサービス機能を提供する。ユーザが食堂にあるホーム基地局にアクセスするとき、関心を持つのは当日のメニューであり、オーダーサービスプログラムがユーザインタフェースに表示されることが望まれる。一方、図書館にあるホーム基地局にアクセスするとき、関心を持つのは図書の貸し出しや返却状況であり、貸し出し／返却管理プログラムがユーザインタフェースに表示されることが望まれる。上記例は、同一ＣＳＧ  ＩＤの異なるホーム基地局には、異なるユーザインタフェースが必要される可能性があることを示す。そのため、本実施例において、更に、（セルのＣＳＧ  ＩＤとセルが所属するホーム基地局の名称）と（ユーザインタフェース）との対応関係を予め設定する。
【００６４】
上記ステップ１１において、更に上記第１セルが所属するホーム基地局の第１ホーム基地局名を取得する。
【００６５】
上記ステップ１２において、更にセルのＣＳＧ  ＩＤとセルが所属するホーム基地局の名称が含まれるセル属性とユーザインタフェースとの所定の対応関係に基づいて、上記第１ＣＳＧ  ＩＤと第１ホーム基地局名に対して、対応する上記第１ユーザインタフェースを確定する。
【００６６】
上記ステップ１３において、ユーザ設備のユーザインタフェースを、第１ＣＳＧ  ＩＤと第１ホーム基地局名に対応するユーザインタフェースを変更し、それによって同一のＣＳＧエリアネットワークにおいて異なるホーム基地局に対して異なるユーザインタフェースを実現することができる。
【００６７】
以下の実施例は、セルの選択／再選択とセルの切替を用いて上記ステップを更に解釈する。
【００６８】
以下２つの実施例において、ユーザ設備には、予めインタフェース変更とネットワークアプリケーションプログラム属性管理対象が保守されており、それに基づいて、（ＣＳＧ  ＩＤとホーム基地局名）と（ユーザインタフェースとネットワークアプリケーションプログラム属性）との対応関係を確立し保守する。図１２は、上記ユーザ設備におけるインタフェース変更とネットワークアプリケーションプログラム属性管理対象の構造図であり、下記の部分を含む。
【００６９】
アクセス可能なＣＳＧ  ＩＤリスト１１０１：複数のＣＳＧ  ＩＤを含み,各ＣＳＧ  ＩＤには、一つ又は複数のホーム基地局名が含まれる（図１１には、一つのＣＳＧ  ＩＤのみ示されている）。
【００７０】
一つのＣＳＧ  ＩＤ１１０２と一つのホーム基地局名１１０３に対応する一つのユーザインタフェースとネットワークアプリケーションプログラム属性リスト１１０４（図１１には、一つのホーム基地局名のみ示されている）。
【００７１】
ユーザインタフェースとネットワークアプリケーションプログラム属性リスト１１０４には、一つのユーザインタフェースＩＤ１１０５と一つのネットワークアプリケーションプログラム属性リスト１１０６が含まれる。ユーザインタフェースＩＤには、一つのユーザインタフェースが一義的に対応付けられており、各ユーザインタフェースの内容が予め設定されてある。
【００７２】
ネットワークアプリケーションプログラム属性リスト１１０６には、一つ又は複数のネットワークアプリケーションプログラムＩＤ１１０７、及びネットワークアプリケーションプログラムＩＤ１１０７に対応するネットワークアプリケーションプログラムのアクセスパラメータ１１０８が含まれる（図１１には、一つのネットワークアプリケーションプログラムＩＤ及びそれに対応するネットワークアプリケーションプログラムのアクセスパラメータのみ示されている）。
【００７３】
図６に示すように、本発明の一つの実施例におけるユーザ設備インタフェース管理方法の流れとして、下記のステップを含む。
【００７４】
ステップ５１において、ユーザ設備が起動後にネットワーク選択を実行し、周波数走査整調などの前作業を行い、該ユーザ設備にアクセス権限を持ち且つ利用可能な信号を有する移動ネットワークを選択する。該ステップは、ユーザ設備が自主的に行うようにユーザ設備メーカによって配置されるという自動方式で実行してもよいし、ユーザが二つ以上の移動ネットワークから一つを選択して該ネットワークを選択してアクセスするようにユーザ設備に指示するという手動方式で実行してもよい。後者の場合、ネットワーク選択を行なった後、ネットワーク選択の結果をユーザに提示するべきである。
【００７５】
ステップ５２において、ユーザ設備が起動後にＣＳＧエリアに進入すると、通常ＣＳＧエリアにおけるホーム基地局セルをユーザ設備に優先的に選択させる。このとき、移動ネットワーク側は、ＣＳＧ  ＩＤを選択して、選択されたＣＳＧ  ＩＤをユーザ設備の移動性制御ユニットに報告するように、シグナリングを介してユーザ設備を制御する。
【００７６】
ステップ５３において、ユーザ設備は、ステップ５１において選択した移動ネットワークＩＤ又はステップ５２において選択したＣＳＧ  ＩＤに基づいて、無線測定を行い、無線測定の結果に基づいてセル選択又は再選択を実行する。なお、無線測定の結果は、その他の選択可能な移動ネットワークＩＤを含む可能性がある。
【００７７】
ステップ５４において、セル選択及び再選択完成後、現在のセルに対応するＣＳＧ  ＩＤとホーム基地局名に基づいて、ユーザ設備は、該ＣＳＧ  ＩＤとホーム基地局名に対応するユーザインタフェースとネットワークアプリケーションプログラム属性リストを選択する。
【００７８】
ステップ５５において、ステップ５４において選択したユーザインタフェースとネットワークアプリケーションプログラム属性に基づいて、ユーザインタフェースＩＤを選択する。ユーザインタフェースとネットワークアプリケーションプログラム属性リストには二つ以上のユーザインタフェースＩＤが含まれている場合、該ステップは、手動方式で実行してもよく、ユーザが二つ以上のユーザインタフェースＩＤから一つを選択して、該インタフェースに変更するようにユーザ設備に指示する。この場合、ユーザインタフェースＩＤの選択後、ユーザインタフェースＩＤ選択の結果をユーザに提示するべきである。該ステップは、デフォルト方式で実行してもよく、ユーザ又はプロバイダーによってユーザ設備のデフォルトのユーザインタフェースＩＤを設定する。
【００７９】
ステップ５６において、ステップ５５において選択したユーザインタフェースＩＤに基づいて、ユーザ設備は、インタフェースの変更を実行する。
【００８０】
上記ステップは、ユーザ設備が空き状態においてＣＳＧエリアに進入する場合のユーザインタフェース変更処理に用いられる。
【００８１】
図７に示すように、本発明の別の実施例におけるユーザ設備インタフェース管理方法の流れとして、下記のステップを含む。
【００８２】
ステップ６１において、ユーザ設備の通信中に切替が発生することとなり、ユーザ設備は、更に該切替が同一周波数切替であるか否かを判断する。
【００８３】
ステップ６２において、ステップ６１の判断結果に基づいて、同一周波数切替ではない場合、ユーザ設備は、新しい周波数において無線測定を行い、ターゲットセルのＣＧＩ（Cell  Global  Identifier）を取得する必要がある。
【００８４】
ステップ６３において、ステップ６１の判断結果に基づいて、同一周波数切替である場合、ユーザ設備は、直接移動ネットワークに対してターゲットセルのＣＧＩを報告する。非同一周波数切替の場合、ユーザ設備は、ステップ６２の無線測定実行後に、新しい測定結果に基づいて、ターゲットセルのＣＧＩを移動ネットワークに報告する。
【００８５】
ステップ６４において、ネットワーク側は、ステップ６３のＣＧＩ報告情報に基づいて、該ＣＧＩで一義的に特定されたセルに切り替えるようにユーザ設備を制御する。該セルがホーム基地局セルの場合、ユーザ設備が通信中にＣＳＧエリアに進入したことを意味し、該セルがＣＳＧエリアにおける一つのホーム基地局セルであるはず。
【００８６】
ステップ６５において、ステップ６４で該ユーザ設備が切替に成功した現在セルのＣＳＧ  ＩＤとホーム基地局名に基づいて、ユーザ設備は、該ＣＳＧエリアとホーム基地局名に対応するユーザインタフェースとネットワークアプリケーションプログラム属性リストを選択する。ＣＧＩには、セルに対応するＣＳＧ  ＩＤ及びホーム基地局名などの情報が含まれている。
【００８７】
ステップ６６において、ステップ６５で選択したユーザインタフェースとネットワークアプリケーションプログラム属性リストに基づいて、ユーザインタフェースＩＤを選択する。該ステップは、手動方式で実行してもよく、ユーザが二つ以上のユーザ設備インタフェースから一つを選択して、該インタフェースに変更するようにユーザ設備に指示する。この場合、ユーザインタフェースＩＤの選択後、ユーザインタフェースＩＤ選択の結果をユーザに提示するべきである。該ステップは、デフォルト方式で実行してもよく、ユーザ又はプロバイダーによってユーザ設備のデフォルトのユーザインタフェースＩＤを設定する。
【００８８】
ステップ６７において、ステップ６６において選択したユーザインタフェースＩＤに基づいて、ユーザ設備は、インタフェースの変更を実行する。
【００８９】
上記ステップは、ユーザ設備が接続状態においてＣＳＧエリアに進入する場合のユーザインタフェース変更処理に用いられる。
【００９０】
ユーザインタフェース変更後、ユーザ設備は、更に、ユーザインタフェースに含まれるネットワークアプリケーションプログラムに基づいて、該ネットワークアプリケーションプログラムを活性化してネットワークアクセスを行う。ユーザインタフェースに含まれるネットワークアプリケーションプログラムは、ユーザインタフェースに含まれているショートカットアイコンに対応するネットワークアプリケーションプログラムであってもよいし、ユーザインタフェースに設定されたネットワークアプリケーションプログラムであってもよい。
【００９１】
図８に示すように、本発明の実施例によるユーザインタフェース管理方法は、ユーザインタフェース変更後に、更に下記のステップを含む。
【００９２】
ステップ７１において、図６又は図７に示すステップにより、ユーザ設備が空き状態又は接続状態において、ＣＳＧ  ＩＤが第１ＣＳＧ  ＩＤである第１セルに進入し、ユーザ設備が第１ＣＳＧエリアに進入したときにユーザインタフェース変更を既に完成したとする。
【００９３】
ステップ７２において、現在のユーザインタフェースに含まれているネットワークアプリケーションプログラムに基づいて、ユーザ設備は、対応するネットワークアプリケーションプログラムエンジンを起動し、それを利用してネットワークアプリケーションプログラムの起動をトリガーしてネットワーク接続を活性化する。
【００９４】
ステップ７３において、現在のユーザインタフェースに含まれているネットワークアプリケーションプログラムは、第１ＣＳＧ  ＩＤに対応するＣＳＧエリアネットワークにおけるネットワークアプリケーションプログラム接続サーバにアクセスする。第１ＣＳＧ  ＩＤに対応する第１ＣＳＧエリアネットワークは、ネットワークアプリケーションプログラム接続サーバ、ＣＳＧエリアローカルネットワークアプリケーションサーバ、及び第１ＣＳＧ  ＩＤに対応するホーム基地局に関連付けられているホーム基地局エリアネットワークを含むエリアネットワークである。
【００９５】
ステップ７４において、ＣＳＧエリアネットワークにおけるネットワークアプリケーションプログラム接続サーバは、各ネットワークアプリケーションプログラムのアクセスパラメータを分析する。アクセスパラメータには、ネットワークアプリケーションプログラムにサービスを提供するアプリケーションサーバのアドレスなどの情報が含まれている。アクセスパラメータに基づいて、ネットワークアプリケーションプログラムが第１ＣＳＧエリアネットワークにおける特定のネットワークアプリケーションプログラムであるか否かを判断できる。上記第１ＣＳＧエリアネットワークにおける特定のネットワークアプリケーションプログラムは、第１ＣＳＧエリアネットワークにおけるネットワークアプリケーションサーバでサービスを提供されるネットワークアプリケーションプログラムである。
【００９６】
ステップ７５において、ステップ７４の判断結果に基づいて、第１ＣＳＧエリアネットワークにおける特定のネットワークアプリケーションプログラムであると判断された場合、ネットワークアプリケーションプログラム接続サーバは、更に、該ネットワークアプリケーションプログラムが第１ＣＳＧ  ＩＤに対応するホーム基地局における特定のネットワークアプリケーションプログラムであるか否かを判断する。第１ＣＳＧ  ＩＤに対応するホーム基地局における特定のネットワークアプリケーションプログラムは、第１ＣＳＧ  ＩＤに対応するホーム基地局に関連付けられているホーム基地局エリアローカルネットワークアプリケーションサーバでサービスを提供されるネットワークアプリケーションプログラムである。
【００９７】
ステップ７６において、ステップ７４の判断結果に基づいて、第１ＣＳＧエリアネットワークにおける特定のネットワークアプリケーションプログラムではないと判断された場合、ネットワークアプリケーションプログラム接続サーバは、該ネットワークアプリケーションプログラムを、第１ＣＳＧエリアネットワーク外部のコアネットワークにおけるコアネットワークアプリケーションサーバにアクセスさせる。
【００９８】
ステップ７７において、ステップ７５の判断結果に基づいて、第１ＣＳＧ  ＩＤに対応するホーム基地局における特定のネットワークアプリケーションプログラムであると判断された場合、ネットワークアプリケーションプログラム接続サーバは、該ネットワークアプリケーションプログラムを、対応するホーム基地局に関連付けられているホーム基地局エリアローカルネットワークアプリケーションサーバにアクセスさせる。ホーム基地局エリアローカルネットワークアプリケーションサーバは、ホーム基地局エリアネットワーク接続されている。
【００９９】
ステップ７８において、ステップ７５の判断結果に基づいて、第１ＣＳＧ  ＩＤに対応するホーム基地局における特定のネットワークアプリケーションプログラムではないと判断された場合、ネットワークアプリケーションプログラム接続サーバは、該ネットワークアプリケーションプログラムを、第１ＣＳＧエリアネットワークにおけるＣＳＧエリアローカルネットワークアプリケーションサーバにアクセスさせる。ＣＳＧエリアローカルネットワークアプリケーションサーバは、ＣＳＧエリアネットワークに接続されている。
【０１００】
図９は、図８に示す方法を応用した移動通信システムを示す。詳しくは下記構成を含む。
【０１０１】
第１ＣＳＧエリアネットワーク８１は、ＣＳＧエリアローカルネットワークアプリケーションサーバ８７に接続される。ＣＳＧエリアローカルネットワークアプリケーションサーバ８７は、第１ＣＳＧエリアネットワーク８１に配置されてもよい。
【０１０２】
第１ＣＳＧエリアネットワーク８１には、ホーム基地局に関連付けられているホーム基地局エリアネットワーク８２を含み、ホーム基地局エリアネットワーク８２がホーム基地局エリアローカルネットワークアプリケーションサーバ８８に接続される。ホーム基地局エリアローカルネットワークアプリケーションサーバ８８は、ホーム基地局エリアネットワーク８２に配置されてもよい。
【０１０３】
第１ＣＳＧエリアネットワーク８１には、ネットワークアプリケーションプログラムに対して対応するネットワークアプリケーションサーバを選択するためのネットワークアプリケーションプログラム接続サーバ８３を更に含む。
【０１０４】
ユーザ設備におけるネットワークアプリケーションプログラムエンジン８４は、ネットワークアプリケーションプログラムの起動とネットワーク接続の活性化をするものである。
【０１０５】
コアネットワークに配置されているコアネットワークアプリケーションサーバ８５は、インターネットに接続されており、インターネットに基づくユーザ設備向けのネットワークアプリケーションサービスを提供する。
【０１０６】
コアネットワークに配置されているコアネットワークアプリケーションサーバ８６は、移動電話網に接続されており、プロバイダーの各種類の移動ネットワークアプリケーションサービスを提供する。
【０１０７】
図１０に示すように、本発明の別の実施例によるユーザインタフェース管理方法は、ユーザインタフェース変更後に、更に下記のステップを含む。
【０１０８】
ステップ９１において、図６又は図７に示すステップにより、ユーザ設備が空き状態又は通信状態において、ＣＳＧ  ＩＤが第１ＣＳＧ  ＩＤである第１セルに進入し、ユーザ設備が第１ＣＳＧエリアに進入したときにユーザインタフェース変更を既に完成したとする。
【０１０９】
ステップ９２において、現在のユーザインタフェースに含まれているネットワークアプリケーションプログラムに基づいて、ユーザ設備は、対応するネットワークアプリケーションプログラムエンジンを起動し、それを利用してネットワークアプリケーションプログラムの起動をトリガーしてネットワーク接続を活性化する。
【０１１０】
ステップ９３において、ユーザ設備におけるネットワークアプリケーションプログラムエンジンは、現在のインタフェースに含まれている各ネットワークアプリケーションプログラムのユーザインタフェースとネットワークアプリケーションプログラム属性リストをチェックする。
【０１１１】
ステップ９４において、ステップ９３のチェック結果に基づいて、ネットワークアプリケーションプログラムのアクセスパラメータを取得して、更にアクセスパラメータに基づいて、各ネットワークアプリケーションプログラムが第１ＣＳＧエリアネットワークにおける特定のネットワークアプリケーションプログラムであるか否かを判断する。
【０１１２】
ステップ９５において、ステップ９４の判断結果に基づいて、第１ＣＳＧエリアネットワークにおける特定のネットワークアプリケーションプログラムであると判断された場合、ユーザ設備におけるネットワークアプリケーションプログラムエンジンは、該ネットワークアプリケーションプログラムを、第１ＣＳＧエリアネットワークにおけるネットワークアプリケーションプログラム接続サーバにアクセスさせる。
【０１１３】
ステップ９６において、ステップ９４の判断結果に基づいて、第１ＣＳＧエリアネットワークにおける特定のネットワークアプリケーションプログラムではないと判断された場合、ユーザ設備におけるネットワークアプリケーションプログラムエンジンは、該ネットワークアプリケーションプログラムを、コアネットワークアプリケーションサーバにアクセスさせる。
【０１１４】
ステップ９７において、第１ＣＳＧエリアネットワークにおける特定のネットワークアプリケーションプログラムであると判断された場合、ＣＳＧエリアネットワークにおけるネットワークアプリケーションプログラム接続サーバは、更に、該ネットワークアプリケーションプログラムが第１ＣＳＧ  ＩＤに対応するホーム基地局における特定のネットワークアプリケーションプログラムであるか否かを判断する。
【０１１５】
ステップ９８において、ステップ９７の判断結果に基づいて、第１ＣＳＧ  ＩＤに対応するホーム基地局における特定のネットワークアプリケーションプログラムであると判断された場合、ＣＳＧエリアネットワークにおけるネットワークアプリケーションプログラム接続サーバは、該ネットワークアプリケーションプログラムを、対応するホーム基地局に関連付けられているホーム基地局エリアローカルネットワークアプリケーションサーバにアクセスさせる。ホーム基地局エリアローカルネットワークアプリケーションサーバは、ホーム基地局エリアネットワークに接続されている。
【０１１６】
ステップ９９において、ステップ９７の判断結果に基づいて、第１ＣＳＧ  ＩＤに対応するホーム基地局における特定のネットワークアプリケーションプログラムではないと判断された場合、ＣＳＧエリアネットワークにおけるネットワークアプリケーションプログラム接続サーバは、該ネットワークアプリケーションプログラムを、第１ＣＳＧエリアネットワークにおけるＣＳＧエリアローカルネットワークアプリケーションサーバにアクセスさせる。
【０１１７】
図１１は、図１０に示す方法を応用した移動通信システムを示す。詳しくは下記構成を含む。
【０１１８】
第１ＣＳＧエリアネットワーク１０１は、ＣＳＧエリアローカルネットワークアプリケーションサーバ１０６に接続される。
【０１１９】
第１ＣＳＧエリアネットワーク１０１におけるホーム基地局エリアネットワーク１０２は、ホーム基地局エリアローカルネットワークアプリケーションサーバ１０７に接続されている。
【０１２０】
ユーザ設備におけるネットワークアプリケーションプログラムエンジン１０３は、ネットワークアプリケーションプログラムの起動とネットワーク接続の活性化をするものである。
【０１２１】
コアネットワークアプリケーションサーバ１０４は、インターネットに接続されており、インターネットに基づくユーザ設備向けのネットワークアプリケーションを提供する。
【０１２２】
コアネットワークアプリケーションサーバ１０５は、移動電話網に接続されており、プロバイダーの各種類の移動ネットワークアプリケーションを提供する。
【０１２３】
以上の実施例は、ユーザ設備のユーザインタフェース変更及びインタフェース変更後のネットワークアプリケーションプログラムのアクセスについて説明した。以上の実施例に基づいて、以下の実施例では、更にユーザ設備を提供する。図１３に示すように、上記ユーザ設備は、上記ユーザ設備の滞留先又は切替先である第１セルの第１ＣＳＧ  ＩＤを取得するセル属性取得ユニットと、ＣＳＧ  ＩＤとユーザインタフェースとの所定の対応関係に基づいて、第１ＣＳＧ  ＩＤに対応する第１ユーザインタフェースを確定するユーザインタフェース確定ユニットと、上記ユーザ設備のユーザインタフェースを上記第１ユーザインタフェースに変更するユーザインタフェース変更ユニットと、を備えることを特徴とする。
【０１２４】
好ましくは、上記セル属性取得ユニットは、更に、上記第１セルが所属するホーム基地局の第１ホーム基地局名を取得し、上記ユーザインタフェース確定ユニットは、更に、セルのＣＳＧ  ＩＤとセルが所属するホーム基地局の名称が含まれるセル属性とユーザインタフェースとの所定の対応関係に基づいて、上記第１ＣＳＧ  ＩＤと第１ホーム基地局名に対応する上記第１ユーザインタフェースを確定する。
【０１２５】
好ましくは、図１３のユーザ設備には、セルの選択又は再選択を実行することにより上記第１セルに滞留し、又は、セルの切替によって上記第１セルにアクセスするための移動性制御ユニットを更に備える。
【０１２６】
好ましい実施例として、図１３のユーザ設備には、上記ユーザ設備のユーザインタフェースを上記第１ユーザインタフェースに変更した後、第１ユーザインタフェースに含まれるネットワークアプリケーションプログラムに基づいて、上記ネットワークアプリケーションプログラムを起動し、上記ネットワークアプリケーションプログラムと、上記第１ＣＳＧ  ＩＤに対応する第１ＣＳＧエリアネットワークにおけるネットワークアプリケーションプログラム接続サーバとの接続を活性化し、上記ネットワークアプリケーションプログラム接続サーバを介して、上記ネットワークアプリケーションプログラムを、第１ＣＳＧエリアネットワークにおけるネットワークアプリケーションサーバ又はコアネットワークにおけるネットワークアプリケーションサーバにアクセスさせるためのネットワークアプリケーションプログラムエンジンユニットを更に備える。
【０１２７】
別の好ましい実施例として、図１３のユーザ設備には、上記ユーザ設備のユーザインタフェースを上記第１ユーザインタフェースに変更した後、第１ユーザインタフェースに含まれるネットワークアプリケーションプログラムに基づいて、上記ネットワークアプリケーションプログラムを起動し、上記ネットワークアプリケーションプログラムのアクセスパラメータに基づいて、上記ネットワークアプリケーションプログラムが、上記第１ＣＳＧ  ＩＤに対応する第１ＣＳＧエリアネットワークにおける特定のネットワークアプリケーションプログラムであるか否かを判断するためのネットワークアプリケーションプログラムエンジンユニットを更に備え、上記第１ＣＳＧ  ＩＤに対応する第１ＣＳＧエリアネットワークにおける特定のネットワークアプリケーションプログラムであると判断された場合、上記ネットワークアプリケーションプログラムと、上記第１ＣＳＧエリアネットワークにおけるネットワークアプリケーションプログラム接続サーバとの接続を活性化し、上記ネットワークアプリケーションプログラムを、上記ネットワークアプリケーションプログラム接続サーバを介して、第１ＣＳＧエリアネットワークにおけるネットワークアプリケーションサーバにアクセスさせ、上記第１ＣＳＧ  ＩＤに対応する第１ＣＳＧエリアネットワークにおける特定のネットワークアプリケーションプログラムではないと判断された場合、上記ネットワークアプリケーションプログラムを、コアネットワークにおけるコアネットワークアプリケーションサーバにアクセスさせる。
【０１２８】
以下の実施例では、移動通信システムを提供する。該移動通信システムは、ＣＳＧ  ＩＤが第１ＣＳＧ  ＩＤである、第１ＣＳＧ  ＩＤに対応する第１セルと、第１ＣＳＧ  ＩＤに対応し、ネットワークアプリケーションプログラム接続サーバとＣＳＧエリアローカルネットワークアプリケーションサーバとを含む第１ＣＳＧエリアネットワークと、ユーザ設備と、を備え、上記ユーザ設備は、自設備が第１セルに滞留又は切り替えた後、上記第１セルの第１ＣＳＧ  ＩＤを取得し、ＣＳＧ  ＩＤとユーザインタフェースとの所定の対応関係に基づいて、第１ＣＳＧ  ＩＤに対応する第１ユーザインタフェースを確定し、自設備のユーザインタフェースを上記第１ユーザインタフェースに変更し、第１ユーザインタフェースに含まれるネットワークアプリケーションプログラムに基づいて、上記ネットワークアプリケーションプログラムを起動し、上記ネットワークアプリケーションプログラムと、上記ネットワークアプリケーションプログラム接続サーバとの接続を活性化し、上記ネットワークアプリケーションプログラム接続サーバは、上記ネットワークアプリケーションプログラムのアクセスパラメータに基づいて、上記ネットワークアプリケーションプログラムが、第１ＣＳＧエリアネットワークにおける特定のネットワークアプリケーションプログラムであるか否かを判断し、第１ＣＳＧエリアネットワークにおける特定のネットワークアプリケーションプログラムであると判断された場合、上記ネットワークアプリケーションプログラムを、第１ＣＳＧエリアネットワークにおけるＣＳＧエリアローカルネットワークアプリケーションサーバにアクセスさせ、第１ＣＳＧエリアネットワークにおける特定のネットワークアプリケーションプログラムではないと判断された場合、上記ネットワークアプリケーションプログラムを、コアネットワークにおけるコアネットワークアプリケーションサーバにアクセスさせる。
【０１２９】
好ましくは、上記移動通信システムにおいて、上記第１ＣＳＧエリアネットワークは、第１ＣＳＧ  ＩＤに対応するホーム基地局に関連付けられているホーム基地局エリアローカルネットワークアプリケーションサーバを更に備え、上記ネットワークアプリケーションプログラム接続サーバは、上記ネットワークアプリケーションプログラムが第１ＣＳＧエリアネットワークにおける特定のネットワークアプリケーションプログラムであると判断した後、更に、上記ネットワークアプリケーションプログラムが第１ＣＳＧ  ＩＤに対応するホーム基地局における特定のネットワークアプリケーションプログラムであるか否かを判断し、上記ネットワークアプリケーションプログラムが第１ＣＳＧ  ＩＤに対応するホーム基地局における特定のネットワークアプリケーションプログラムであると判断された場合、上記ネットワークアプリケーションプログラムを、第１ＣＳＧ  ＩＤに対応するホーム基地局に関連付けられているホーム基地局エリアローカルネットワークアプリケーションサーバにアクセスさせ、上記ネットワークアプリケーションプログラムが第１ＣＳＧ  ＩＤに対応するホーム基地局における特定のネットワークアプリケーションプログラムではないと判断された場合、上記ネットワークアプリケーションプログラムを、第１ＣＳＧエリアネットワークにおけるＣＳＧエリアローカルネットワークアプリケーションサーバにアクセスさせる。
【０１３０】
以下の実施例は別の移動通信システムを提供する。該移動通信システムは、ＣＳＧ  ＩＤが第１ＣＳＧ  ＩＤである、第１ＣＳＧ  ＩＤに対応する第１セルと、第１ＣＳＧ  ＩＤに対応し、ネットワークアプリケーションプログラム接続サーバとＣＳＧエリアローカルネットワークアプリケーションサーバとを含む第１ＣＳＧエリアネットワークと、ユーザ設備と、を備え、上記ユーザ設備は、自設備が第１セルに滞留又は切り替えた後、上記第１セルのＣＳＧ  ＩＤである第１ＣＳＧ  ＩＤを取得し、ＣＳＧ  ＩＤとユーザインタフェースとの所定の対応関係に基づいて、第１ＣＳＧ  ＩＤに対応する第１ユーザインタフェースを確定し、自設備のユーザインタフェースを上記第１ユーザインタフェースに変更し、第１ユーザインタフェースに含まれるネットワークアプリケーションプログラムに基づいて、上記ネットワークアプリケーションプログラムを起動し、上記ネットワークアプリケーションプログラムのアクセスパラメータに基づいて、上記ネットワークアプリケーションプログラムが、上記第１ＣＳＧ  ＩＤに対応する第１ＣＳＧエリアネットワークにおける特定のネットワークアプリケーションプログラムであるか否かを判断し、上記第１ＣＳＧ  ＩＤに対応する第１ＣＳＧエリアネットワークにおける特定のネットワークアプリケーションプログラムであると判断された場合、上記ネットワークアプリケーションプログラムと、上記第１ＣＳＧエリアネットワークにおけるネットワークアプリケーションプログラム接続サーバとの接続を活性化し、上記第１ＣＳＧ  ＩＤに対応する第１ＣＳＧエリアネットワークにおける特定のネットワークアプリケーションプログラムではないと判断された場合、上記ネットワークアプリケーションプログラムを、コアネットワークにおけるコアネットワークアプリケーションサーバにアクセスさせ、上記ネットワークアプリケーションプログラム接続サーバは、上記ネットワークアプリケーションプログラムを、第１ＣＳＧエリアネットワークにおけるＣＳＧエリアローカルネットワークアプリケーションサーバにアクセスさせる。
【０１３１】
好ましくは、上記移動通信システムにおいて、上記第１ＣＳＧエリアネットワークは、第１ＣＳＧ  ＩＤに対応するホーム基地局に関連付けられているホーム基地局エリアローカルネットワークアプリケーションサーバを更に備え、上記ネットワークアプリケーションプログラム接続サーバは、更に、上記ネットワークアプリケーションプログラムが、第１ＣＳＧ  ＩＤに対応するホーム基地局における特定のネットワークアプリケーションプログラムであるか否かを判断し、上記ネットワークアプリケーションプログラムが第１ＣＳＧ  ＩＤに対応するホーム基地局における特定のネットワークアプリケーションプログラムであると判断された場合、上記ネットワークアプリケーションプログラムを、第１ＣＳＧ  ＩＤに対応するホーム基地局に関連付けられているホーム基地局エリアローカルネットワークアプリケーションサーバにアクセスさせ、上記ネットワークアプリケーションプログラムが第１ＣＳＧ  ＩＤに対応するホーム基地局における特定のネットワークアプリケーションプログラムではないと判断された場合、上記ネットワークアプリケーションプログラムを、第１ＣＳＧエリアネットワークにおけるＣＳＧエリアローカルネットワークアプリケーションサーバにアクセスさせる。
【０１３２】
上記をまとめると、本発明の実施例によるユーザ設備のユーザインタフェースを管理する方法は、ＣＳＧエリアにトリガーされるユーザ設備インタフェース変更及びネットワークアプリケーションプログラムのアクセスにより、ユーザ設備が空き状態又は接続状態においてホーム基地局セルにアクセスすると同時に、自動的にインタフェースを変更することができ、プロバイダー又は管理者又はユーザ本人が需要に応じて、特定のＣＳＧエリア又は特定のホーム基地局におけるユーザインタフェースを柔軟に配置することができ、移動通信の付加価値サービスに対するホーム基地局の価値が高められ、ホーム基地局利用ユーザの満足度が向上した。また、本発明の実施例は、ＣＳＧエリアローカルネットワークサーバを利用することにより、ＣＳＧエリアローカルネットワークアプリケーションサービスとホーム基地局エリアローカルネットワークアプリケーションサービスとを含む特定のネットワークアプリケーションサービスをＣＳＧユーザに対して提供する。更に、本発明の実施例は、一組のＣＳＧユーザに対して統一されたネットワークアプリケーションサービスを提供することもできるし、単一なＣＳＧユーザによりネットワークアプリケーションサービスを予め設定することもできる。本発明の実施例は、カスタマイズインタフェースとネットワークアプリケーションサービスの提供におけるホーム基地局の潜在力を充分に発揮させており、ネットワークに価値を付加し、ユーザ設備とネットワーク（ＣＳＧエリアネットワークとホーム基地局ローカルネットワークを含む）とを自動的且つ有機的に関連付け、ユーザ設備の智能性と使用便利性を向上させた。
【０１３３】
以上は、本発明の好ましい実施方式に過ぎない。なお、当該分野の一般技術者にとって、本発明の原理を背離しない前提で、若干の改進や修飾が考えられる。ただし、これらの改進や修飾も本発明の保護範囲にあることが理解されよう。
【図１】
0005624440.tif 000002
【図２】
0005624440.tif 000003
【図３】
0005624440.tif 000004
【図４】
0005624440.tif 000005
【図５】
0005624440.tif 000006
【図６】
0005624440.tif 000007
【図７】
0005624440.tif 000008
【図８】
0005624440.tif 000009
【図９】
0005624440.tif 000010
【図１０】
0005624440.tif 000011
【図１１】
0005624440.tif 000012
【図１２】
0005624440.tif 000013
【図１３】
0005624440.tif 000014